【手続補正書】
【提出日】平成23年12月12日(2011.12.12)
【手続補正１】
【補正対象書類名】特許請求の範囲
【補正対象項目名】全文
【補正方法】変更
【補正の内容】
【特許請求の範囲】
【請求項１】
第１サイズのインク滴を吐出する第１ノズルと、前記第１サイズよりも大きい第２サイズのインク滴を吐出する第２ノズルと、前記第２サイズよりも大きい第３サイズのインク滴を吐出する第３ノズルとを備える記録ヘッドを記録媒体に対して相対走査させることにより前記記録媒体に画像を記録する記録装置のためのデータを生成するデータ生成方法であって、
前記第１ノズル、前記第２ノズル及び前記第３ノズルは、記録媒体上の同一画素に対してインクを吐出可能であり、
前記第１ノズル、前記第２ノズル及び前記第３ノズルが、吐出不良ノズルであるか否かをそれぞれ判断する判断工程と、
各画素に対応する多値データと前記記録ヘッドからのインクの吐出に対応する２値データとが対応付けられた複数のテーブルの中から、前記判断工程における判断結果に基づいて選択されたテーブルを用いて、多値データを２値データに変換する変換する変換工程と
を備え、
前記判断工程において前記第１ノズルが吐出不良であると判断された場合、前記選択工程において前記第１ノズルを用いずに前記第２ノズル及び第３ノズルを用いて記録するための第１テーブルを選択し、
前記判断工程において前記第２ノズルが吐出不良であると判断された場合、前記選択工程において前記第２ノズルを用いずに前記第１ノズル及び前記第３ノズルを用いて記録するための第２テーブルを選択し、
前記判断工程において前記第３ノズルが吐出不良であると判断された場合、前記選択工程において前記第３ノズルを用いずに前記第１ノズル及び前記第２ノズルを用いて記録するための第３テーブルを選択する
ことを特徴とするデータ生成方法。
【請求項２】
前記第１テーブルを用いて所定の前記多値データを変換した前記２値データにより指示される前記第２ノズルから吐出するインク滴の数は、前記第１ノズル、前記第２ノズル及び前記第３ノズルのいずれもが吐出不良ではないと判断された場合に使用される第４テーブルを用いて所定の前記多値データを変換した前記２値データにより指示される前記第２ノズルから吐出するインク滴の数よりも多い
ことを特徴とする請求項１に記載のデータ生成方法。
【請求項３】
前記判断工程において前記第１ノズル、前記第２ノズル及び前記第３ノズルのいずれもが吐出不良ではないと判断された場合、前記選択工程において前記第１ノズル、前記第２ノズル及び前記第３ノズルを用いて記録するための前記第４テーブルを選択する
ことを特徴とする請求項１または２に記載のデータ生成方法。
【請求項４】
前記第１テーブル、第２テーブル及び第３テーブルは、前記第４テーブルを用いて所定の前記多値データを変換した場合と同じ濃度の画像が得られるように変換するテーブルである
ことを特徴とする請求項３に記載のデータ生成方法。
【請求項５】
前記第２テーブルを用いて所定の前記多値データを変換した前記２値データは、前記第４テーブルを用いて所定の前記多値データを変換した前記２値データよりも、前記第１ノズルからのインク滴の吐出を指示するデータの数が多い
ことを特徴とする請求項３または４に記載のデータ生成方法。
【請求項６】
前記第３テーブルを用いて所定の前記多値データを変換した前記２値データは、前記第４テーブルを用いて所定の前記多値データを変換した前記２値データよりも、前記第１ノズルからのインク滴の吐出を指示するデータの数もしくは前記第３ノズルからのインク滴の吐出を指示するデータの数のうち少なくとも一方が多いことを特徴とする請求項３から５のいずれか１項に記載のデータ生成方法。
【請求項７】
前記２値データの解像度は、前記多値データの解像度よりも高い
ことを特徴とする請求項１から６のいずれか１項に記載のデータ生成方法。
【請求項８】
第１サイズのインク滴を吐出する第１ノズルと、前記第１ノズルと記録媒体上の同じ位置を記録可能で前記第１サイズよりも大きい第２サイズのインク滴を吐出する第２ノズルとを備える記録ヘッドを記録媒体に対して走査させることにより前記記録媒体に画像を記録する記録装置のためのデータを生成するデータ生成方法であって、
前記第１ノズルが吐出不良ノズルであるか否かを判断する判断工程と、
前記判断工程における判断結果に基づいて、各画素に対応する多値データと前記記録ヘッドからのインクの吐出に対応する２値データとが対応付けられた複数のテーブルの中から、前記記録ヘッドの走査方向に沿って連続する複数の画素に対して用いるテーブルを選択し、選択されたテーブルを用いて、前記連続する複数の画素にそれぞれ対応する多値データを２値データに変換する変換工程と
を備え、
前記判断工程において吐出不良ではないと判断された場合、前記選択工程において前記第１ノズル及び前記第２ノズルを用いて記録するための第１テーブルが選択され、前記判断工程において吐出不良であると判断された場合、前記選択工程において前記第２ノズルを用いて記録するための第２テーブルが選択され、前記第２テーブルを用いて前記連続する複数の画素に対応する前記多値データを変換した前記２値データによって指示される前記第２ノズルから吐出するインク滴の数は、前記第１テーブルを用いて前記連続する複数の画素に対応する前記多値データを変換した前記２値データによって指示される前記第２ノズルから吐出するインク滴の数よりも多い
ことを特徴とすることを特徴とするデータ生成方法。
【手続補正２】
【補正対象書類名】明細書
【補正対象項目名】発明の名称
【補正方法】変更
【補正の内容】
【発明の名称】データ生成方法
【手続補正３】
【補正対象書類名】明細書
【補正対象項目名】０００１
【補正方法】変更
【補正の内容】
【０００１】
本発明は、データ生成方法に関する。
【手続補正４】
【補正対象書類名】明細書
【補正対象項目名】０００９
【補正方法】変更
【補正の内容】
【０００９】
本発明は、上記問題点に鑑みてなされたものであり、同色について異なるサイズのインク滴を用いて階調記録する構成において不吐出補完を実現するようにしたデータ生成方法を提供することを目的とする。
【手続補正５】
【補正対象書類名】明細書
【補正対象項目名】００１０
【補正方法】変更
【補正の内容】
【００１０】
上記目的を達成するため、本発明の一態様は、第１サイズのインク滴を吐出する第１ノズルと、前記第１サイズよりも大きい第２サイズのインク滴を吐出する第２ノズルと、前記第２サイズよりも大きい第３サイズのインク滴を吐出する第３ノズルとを備える記録ヘッドを記録媒体に対して相対走査させることにより前記記録媒体に画像を記録する記録装置のためのデータを生成するデータ生成方法であって、前記第１ノズル、前記第２ノズル及び前記第３ノズルは、記録媒体上の同一画素に対してインクを吐出可能であり、前記第１ノズル、前記第２ノズル及び前記第３ノズルが、吐出不良ノズルであるか否かをそれぞれ判断する判断工程と、各画素に対応する多値データと前記記録ヘッドからのインクの吐出に対応する２値データとが対応付けられた複数のテーブルの中から、前記判断工程における判断結果に基づいて選択されたテーブルを用いて、多値データを２値データに変換する変換する変換工程とを備え、前記判断工程において前記第１ノズルが吐出不良であると判断された場合、前記選択工程において前記第１ノズルを用いずに前記第２ノズル及び第３ノズルを用いて記録するための第１テーブルを選択し、前記判断工程において前記第２ノズルが吐出不良であると判断された場合、前記選択工程において前記第２ノズルを用いずに前記第１ノズル及び前記第３ノズルを用いて記録するための第２テーブルを選択し、前記判断工程において前記第３ノズルが吐出不良であると判断された場合、前記選択工程において前記第３ノズルを用いずに前記第１ノズル及び前記第２ノズルを用いて記録するための第３テーブルを選択することを特徴とする。
【手続補正６】
【補正対象書類名】明細書
【補正対象項目名】００１１
【補正方法】変更
【補正の内容】
【００１１】
また、本発明の一態様は、第１サイズのインク滴を吐出する第１ノズルと、前記第１ノズルと記録媒体上の同じ位置を記録可能で前記第１サイズよりも大きい第２サイズのインク滴を吐出する第２ノズルとを備える記録ヘッドを記録媒体に対して走査させることにより前記記録媒体に画像を記録する記録装置のためのデータを生成するデータ生成方法であって、前記第１ノズルが吐出不良ノズルであるか否かを判断する判断工程と、
前記判断工程における判断結果に基づいて、各画素に対応する多値データと前記記録ヘッドからのインクの吐出に対応する２値データとが対応付けられた複数のテーブルの中から、前記記録ヘッドの走査方向に沿って連続する複数の画素に対して用いるテーブルを選択し、選択されたテーブルを用いて、前記連続する複数の画素にそれぞれ対応する多値データを２値データに変換する変換工程とを備え、前記判断工程において吐出不良ではないと判断された場合、前記選択工程において前記第１ノズル及び前記第２ノズルを用いて記録するための第１テーブルが選択され、前記判断工程において吐出不良であると判断された場合、前記選択工程において前記第２ノズルを用いて記録するための第２テーブルが選択され、前記第２テーブルを用いて前記連続する複数の画素に対応する前記多値データを変換した前記２値データによって指示される前記第２ノズルから吐出するインク滴の数は、前記第１テーブルを用いて前記連続する複数の画素に対応する前記多値データを変換した前記２値データによって指示される前記第２ノズルから吐出するインク滴の数よりも多いことを特徴とする。